(57)【要約】【課題】  色温度を一定に維持しながら人工光源の光度を一定にするデジタルイメージテスト部材の光源光度均一化装置及び方法と、多様な色温度で色温度を一定に維持するとともに低照度の環境から高照度の環境まで使用可能な多様な人工光源を構成する、前記デジタルイメージテスト部材の光源光度均一化装置及び方法を利用したデジタルイメージ色相テスト装置及び方法を提供する。【解決手段】デジタルイメージテスト部材の光源光度均一化装置は、密閉空間に取り付けられ、所定角度ずつ回転可能である多角形回転柱と、デジタルイメージをテストするために、密閉空間の一面に付着されているイメージテスト部材に光を照らし、前記多角形回転柱の各面に装着される複数の光源と、前記イメージテスト部材に照らされた光の照度を測定する複数の照度測定器と、前記照度測定器によって測定された照度値が均一になるように、前記多角形回転柱を所定角度ずつ回転させる回転柱制御部とを含む。【選択図】  図２ａ
2008145413.tif 000002
【特許請求の範囲】
【請求項１】
密閉空間に取り付けられ、所定角度ずつ回転可能である多角形回転柱；
デジタルイメージをテストするために、密閉空間の一面に付着されているイメージテスト部材に光を照らし、前記多角形回転柱の各面に装着される複数の光源；
前記イメージテスト部材に照らされた光の照度を測定する複数の照度測定器；及び
前記照度測定器によって測定された照度値が均一になるように、前記多角形回転柱を所定角度ずつ回転させる回転柱制御部；を含むことを特徴とする、デジタルイメージテスト部材の光源光度均一化装置。
【請求項２】
前記密閉空間の壁には、光の乱反射を減らす特殊塗料が塗布されていることを特徴とする、請求項１に記載のデジタルイメージテスト部材の光源光度均一化装置。
【請求項３】
前記多角形回転柱は、六角形の回転柱であることを特徴とする、請求項１に記載のデジタルイメージテスト部材の光源光度均一化装置。
【請求項４】
前記光源は蛍光灯であり、前記回転柱の各面に二つずつ装着されることを特徴とする、請求項３に記載のデジタルイメージテスト部材の光源光度均一化装置。
【請求項５】
前記多角形回転柱に取り付けられ、前記各多角形回転柱の各面に設置された光源の光を前記テスト部材に集光させる複数の反射板をさらに含むことを特徴とする、請求項１に記載のデジタルイメージテスト部材の光源光度均一化装置。
【請求項６】
前記多角形回転柱と前記テスト部材との間に取り付けられ、前記複数の光源から放出される光を集光して前記テスト部材に拡散させる拡散フィルターをさらに含むことを特徴とする、請求項５に記載のデジタルイメージテスト部材の光源光度均一化装置。
【請求項７】
前記複数の照度測定器は、前記テスト部材の中央部と角部の照度を測定することを特徴とする、請求項１に記載のデジタルイメージテスト部材の光源光度均一化装置。
【請求項８】
前記多角形回転柱は、前記密閉空間の左側と右側にそれぞれ取り付けられることを特徴とする、請求項１に記載のデジタルイメージテスト部材の光源光度均一化装置。
【請求項９】
（ａ）デジタルイメージをテストするために、密閉空間の一面にイメージテスト部材を取り付ける段階；
（ｂ）前記密閉空間に多角形回転柱を取り付け、前記多角形回転柱の各面に光源を取り付ける段階；
（ｃ）前記取り付けられた光源から放出される光を反射板によって集光させる段階；
（ｄ）前記集光された光を拡散フィルターを介して前記イメージテスト部材に拡散させる段階；
（ｅ）前記テスト部材で前記光源の照度を測定する段階；及び
（ｆ）測定された照度値が均一になるように、前記多角形回転柱を所定角度ずつ回転させる段階；を含むことを特徴とする、デジタルイメージテスト部材の光源光度均一化方法。
【請求項１０】
前記（ｂ）段階に先立ち、
（ｂ１）電子式調光安定器によって、前記イメージテスト部材を照らす光源の光度を均一にする段階をさらに含むことを特徴とする、請求項９に記載のデジタルイメージテスト部材の光源光度均一化方法。
【請求項１１】
密閉空間に取り付けられ、所定角度ずつ回転可能である多角形回転柱；
デジタルイメージをテストするために、密閉空間の一面に付着されているイメージテスト部材に光を照らし、前記多角形回転柱の各面に装着される複数の光源；
前記多角形回転柱と前記イメージテスト部材との間に位置し、前記光源の光量を減少させるとともに色温度を一定範囲に維持させるＮＤフィルター；
前記ＮＤフィルターを介してイメージテスト部材に照らされた光の照度を測定する複数の照度測定器；及び
前記照度測定器によって測定された照度値が均一になるように、前記多角形回転柱を所定角度ずつ回転させる回転柱制御部；を含むことを特徴とする、デジタルイメージ色相テスト装置。
【請求項１２】
前記光源の光度を制御し、フリッカー（ｆｌｉｃｋｅｒ）を除去し、光源光度の均一性を維持する調光安定器をさらに含むことを特徴とする、請求項１１に記載のデジタルイメージ色相テスト装置。
【請求項１３】
前記六角形回転柱に取り付けられ、前記各多角形回転柱の各面に取り付けられた光源の光を前記テスト部材に集光させる複数の反射板をさらに含むことを特徴とする、請求項１１に記載のデジタルイメージ色相テスト装置。
【請求項１４】
前記ＮＤフィルターと前記テスト部材との間に取り付けられ、前記複数の光源から放出される光を集光して前記テスト部材に拡散させる拡散フィルターをさらに含むことを特徴とする、請求項１１に記載のデジタルイメージ色相テスト装置。
【請求項１５】
前記多角形回転柱は六角形の回転柱であり、前記密閉空間の左側と右側にそれぞれ取り付けられることを特徴とする、請求項１１に記載のデジタルイメージ色相テスト装置。
【請求項１６】
前記ＮＤフィルターは、
光源の色温度変化を所定範囲に維持するとともに低照度に光量を減らす第１ＮＤフィルター；及び
光源の色温度変化を所定範囲に維持するとともに前記低照度より高い所定範囲の照度に光量を減らす第２ＮＤフィルター；を含んでなることを特徴とする、請求項１５に記載のデジタルイメージ色相テスト装置。
【請求項１７】
前記光源は蛍光灯であり、前記六角形回転柱の各面に二つずつ装着され、前記六角形回転柱の面ごとに色温度が違う蛍光灯であることを特徴とする、請求項１３に記載のデジタルイメージ色相テスト装置。
【請求項１８】
前記複数の照度測定器は、前記テスト部材の中央部と角部の照度を測定することを特徴とする、請求項１３に記載のデジタルイメージ色相テスト装置。
【請求項１９】
（ａ）デジタルイメージをテストするために、密閉空間の一面にイメージテスト部材を取り付ける段階；
（ｂ）前記密閉空間に多角形形態の多角形回転柱を取り付け、前記多角形回転柱の各面に光源を取り付ける段階；
（ｃ）前記取り付けられた光源から放出される光を反射板によって集光させる段階；
（ｄ）前記集光された光の光量をＮＤフィルターを介して減らす段階；
（ｅ）前記ＮＤフィルターによって光量が減少した光を拡散フィルターによって前記イメージテスト部材に拡散させる段階；
（ｆ）前記テスト部材で前記光源の照度を測定する段階；
（ｇ）測定された照度値が均一になるように、前記多角形回転柱を所定角度ずつ回転させる段階；及び
（ｈ）前記テスト部材によって映像撮像素子のデジタルイメージ色相をテストする段階；を含むことを特徴とする、デジタルイメージ色相テスト方法。
【請求項２０】
前記（ｂ）段階に先立ち、
電子式調光安定器によって、前記イメージテスト部材を照らす光源の光度を均一にする段階をさらに含むことを特徴とする、請求項１９に記載のデジタルイメージ色相テスト方法。
【発明の詳細な説明】
【技術分野】
【０００１】
本発明はデジタル器機のデジタルイメージテストに係り、より詳しくはデジタルイメージテスト部材の光源光度均一化装置及び方法とこれを用いたデジタルイメージ色相テスト装置及び方法に関するものである。
【背景技術】
【０００２】
あらゆる物体は、その固有の色にその物体に映る光源の色が混合されている。人の視覚は、その物体が持っている色のみを感知することができる。例えば、人の目は、緑色の木葉を、朝、正午、日暮れに見ると、ほぼ同じ色の木葉として認識する。しかし、ＣＭＯＳイメージセンサー（ｉｍａｇｅ ｓｅｎｓｏｒ）は、物体自体の色に光源の色が混合した色として受けて表現する。人の肉眼で見えるある物体の色感と、ＣＭＯＳイメージセンサーを通して見える色感とが相違したことはこのような違いに起因する。
【０００３】
このように、ＣＭＯＳイメージセンサーと人の肉眼による光線認知に対する違いを考慮すると、ＣＭＯＳイメージセンサーをテストするために、人工的に環境を設定（Ｅｎｖｉｒｏｎｍｅｎｔ Ｓｅｔｔｉｎｇ）するとき、光源の色に対する物理的な数値、すなわちケルビン（Ｋｅｌｖｉｎ）で表現される色温度（Ｃｏｌｏｒ Ｔｅｍｐｅｒａｔｕｒｅ）の特性を把握し、任意に調節するのが必要である。
【０００４】
微細な光源（低輝度：＜１Ｌｕｘ〜３０Ｌｕｘ、 正常輝度：３０Ｌｕｘ−）の段階別具現領域で進むＣＭＯＳイメージセンサーの映像テストの際、光源に応じて変わる色温度を任意に調節することができなければ、色温度が減少するか増加するとき、光は次第に暗褐色から樺色、黄色、白色、青色系列に変わることになる。ＣＭＯＳイメージセンサーを通じて見える映像も同様に変わるから、ＣＭＯＳイメージセンサーで受ける映像自体の特性を正確で具体的に把握しにくくなる。
【０００５】
人為的に正午の太陽光の環境を構成するために、タングステンランプを利用して３２００ケルビン（Ｋｅｌｖｉｎ）を構成し、光源を特定段階別に調節して、多様な照度（単位：Ｌｕｘ）環境を構成する場合、同じ照度であると言っても、色温度の増加は全体的な映像を青色系列に現すようにし、色温度の減少は全体的な映像を赤色系列に現すようにする。
【０００６】
このような映像変化のため、正確な映像テスト自体が難しくなることができる。人工的な光源を構成するとき、色温度の変化によって現われるかかる映像変化は重要な解決課題である。
【０００７】
映像テストの場合は、ある特定色相（ｃｏｌｏｒ）よりはホワイト（Ｗｈｉｔｅ）の再現に重点を置き、ホワイト（Ｗｈｉｔｅ）が正確に何を意味するのかを具体的に定義しなければならない。ＣＭＯＳイメージセンサーの場合は、カラーチューニング（Ｃｏｌｏｒ Ｔｕｎｉｎｇ）の初期段階で、一般にホワイトバランス（Ｗｈｉｔｅ Ｂａｌａｎｃｅ）を調節することになる。この際、ＣＭＯＳイメージセンサーは、適切な光が照らされたＧｒｅｙ Ｓｃａｌｅ Ｃｈａｒｔ、Ｗｈｉｔｅ Ｃｈａｒｔ、Ｃｏｌｏｒ Ｃｈｅｃｋｅｒのようなラインアップチャート（Ｌｉｎｅ−Ｕｐ Ｃｈａｒｔ）を基準として取り、ＲＧＢ信号比が同じになるように、ＣＭＯＳイメージセンサーの利得（Ｇａｉｎ）または黒レベル（Ｂｌａｃｋ Ｌｅｖｅｌ）のような機能を調節する。言い換えれば、ＣＭＯＳイメージセンサーの全体的な映像は、ホワイト（Ｗｈｉｔｅ）またはグレー（Ｇｒｅｙ）のような無彩色を見ながら作られる。Ｇｒｅｙ ＳｃａｌｅまたはＷｈｉｔｅ Ｃｈａｒｔの固有の無彩色は明らかに変わらないが、それに照らされた特定光の色によって全体的な映像の色が違って見える。
【０００８】
ＣＭＯＳイメージセンサーの多様な光源（低輝度領域：１Ｌｕｘ〜３０Ｌｕｘ、正常輝度領域：３０Ｌｕｘ−）での映像テストの際は、ラインアップチャート（Ｌｉｎｅ−Ｕｐ Ｃｈａｒｔ）に照らされた光源によって全体的な映像が決定される。
【０００９】
したがって、ＣＭＯＳイメージセンサーを通じて現われる映像自体の正確な特性テストとカラーチューニング（Ｃｏｌｏｒ Ｔｕｎｉｎｇ）を始めるための環境的な構成自体が色温度変化のため難しくなる。前述したように、光源のカラーを定義する一番便利な方法は色温度を引用することである。
【００１０】
現在、人工的に光源を構成するとき、一般に太陽光に最も近い色温度特性を有するタングステンランプを多く使用している。例えば、３２００Ｋの色温度特性を有するタングステンランプを利用して人工的な環境を作り、段階的な照度調節なしに、固定的な特定の照度でだけテストを進めば、色温度変化による映像の色感差は現われない。
【００１１】
しかし、ＣＭＯＳイメージセンサーの映像テストは、多様な環境を作ることができる特定色温度領域、例えば朝、晴れている青空、曇っている青空、正午、日出、日没などの際、段階別に照度調節を行わなければならないから、光源による色温度変化、言い換えれば、段階別照度調節による色温度変化は全体的な映像歪曲を生じさせる。
【００１２】
ＣＭＯＳイメージセンサーが適用される一番代表的な応用システムと言える携帯電話に搭載されたカメラは、使用者がいつも同一の条件及び環境で使用しないため、多様な人工的な環境を作っていろいろの方法で検証する必要がある。
【００１３】
このような多様な環境の色温度を具現し、細密で広い領域での段階別照度動作範囲、安定的なテスト空間の構成、照度調節時の色温度変化（Ｃｏｌｏｒ Ｔｅｍｐｅｒａｔｕｒｅ Ｖａｒｉａｔｉｏｎ）の問題点を解消したＣＭＯＳイメージセンサー専用テスト装備が必要である。
【００１４】
現在、人工光源として一番広く使用されているタングステンランプは、太陽光の色温度に一番近くに具現することができる利点（演色評価数９５％）がある。しかし、ＣＭＯＳイメージセンサーのテストのための構成において、多様な環境の具現と細密で広い領域の照度調節の際、色温度が急激に変わるため、多様な色温度の具現が可能なランプの種類は限定されている。
【００１５】
もちろん、多様なフィルター（ＣＴＢ、ＣＴＯ、ＮＤなど）を利用して強制に色温度を一定に補正することができるが、タングステンランプの色温度具現の範囲と大きな発熱量は人工的な光源の構成に限界的である。
【発明の開示】
【発明が解決しようとする課題】
【００１６】
本発明は、前述したような問題点を解決するためになされたもので、本発明が達成しようとする技術的課題は、色温度を一定に維持しながら人工光源の光度を一定にするデジタルイメージテスト部材の光源光度均一化装置及び方法を提供することである。
【００１７】
本発明の他の技術的課題は、多様な色温度で色温度を一定に維持するとともに低照度の環境から高照度の環境まで使用可能な多様な人工光源を構成する、前記デジタルイメージテスト部材の光源光度均一化装置及び方法を利用したデジタルイメージ色相テスト装置及び方法を提供することである。
【課題を解決するための手段】
【００１８】
前記技術的課題を解決するための本発明によるデジタルイメージテスト部材の光源光度均一化装置は、密閉空間に取り付けられ、所定角度ずつ回転可能である多角形回転柱；デジタルイメージをテストするために、密閉空間の一面に付着されているイメージテスト部材に光を照らし、前記多角形回転柱の各面に装着される複数の光源；前記イメージテスト部材に照らされた光の照度を測定する複数の照度測定器；及び前記照度測定器によって測定された照度値が均一になるように、前記多角形回転柱を所定角度ずつ回転させる回転柱制御部；を含むことを特徴とする。
【００１９】
本発明によるデジタルイメージテスト部材の光源光度均一化装置は、前記多角形回転柱に取り付けられ、前記各多角形回転柱の各面に設置された光源の光を前記テスト部材に集光させる複数の反射板をさらに含むことが好ましい。
【００２０】
また、本発明によるデジタルイメージテスト部材の光源光度均一化装置は、前記多角形回転柱と前記テスト部材との間に取り付けられ、前記複数の光源から放出される光を集光して前記テスト部材に拡散させる拡散フィルターをさらに含むことが好ましい。
【００２１】
前記技術的課題を達成するための本発明によるデジタルイメージテスト部材の光源光度均一化方法は、（ａ）デジタルイメージをテストするために、密閉空間の一面にイメージテスト部材を取り付ける段階；（ｂ）前記密閉空間に多角形回転柱を取り付け、前記多角形回転柱の各面に光源を取り付ける段階；（ｃ）前記取り付けられた光源から放出される光を反射板によって集光させる段階；（ｄ）前記集光された光を拡散フィルターを介して前記イメージテスト部材に拡散させる段階；（ｅ）前記テスト部材で前記光源の照度を測定する段階；及び（ｆ）測定された照度値が均一になるように、前記多角形回転柱を所定角度ずつ回転させる段階；を含むことを特徴とする。
【００２２】
前記（ｂ）段階に先立ち、電子式調光安定器によって、前記イメージテスト部材を照らす光源の光度を均一にする段階をさらに含むことが好ましい。
【００２３】
前記他の技術的課題を達成するための本発明によるデジタルイメージ色相テスト装置は、密閉空間に取り付けられ、所定角度ずつ回転可能である多角形回転柱；デジタルイメージをテストするために、密閉空間の一面に付着されているイメージテスト部材に光を照らし、前記多角形回転柱の各面に装着される複数の光源；前記多角形回転柱と前記イメージテスト部材との間に位置し、前記光源の光量を減少させるとともに色温度を一定範囲に維持させるＮＤフィルター；前記ＮＤフィルターを介してイメージテスト部材に照らされた光の照度を測定する複数の照度測定器；及び前記照度測定器によって測定された照度値が均一になるように、前記多角形回転柱を所定角度ずつ回転させる回転柱制御部；を含むことを特徴とする。
【００２４】
本発明によるデジタルイメージ色相テスト装置は、前記光源の光度を制御し、フリッカー（ｆｌｉｃｋｅｒ）を除去し、光源光度の均一性を維持する調光安定器をさらに含むことが好ましい。
【００２５】
また、本発明によるデジタルイメージ色相テスト装置は、前記六角形回転柱に取り付けられ、前記各多角形回転柱の各面に取り付けられた光源の光を前記テスト部材に集光させる複数の反射板と、前記ＮＤフィルターと前記テスト部材との間に取り付けられ、前記複数の光源から放出される光を集光して前記テスト部材に拡散させる拡散フィルターとをさらに含むことが好ましい。
【００２６】
前記他の技術的課題を達成するための本発明によるデジタルイメージ色相テスト方法は、（ａ）デジタルイメージをテストするために、密閉空間の一面にイメージテスト部材を取り付ける段階；（ｂ）前記密閉空間に多角形形態の多角形回転柱を取り付け、前記多角形回転柱の各面に光源を取り付ける段階；（ｃ）前記取り付けられた光源から放出される光を反射板によって集光させる段階；（ｄ）前記集光された光の光量をＮＤフィルターを介して減らす段階；（ｅ）前記ＮＤフィルターによって光量が減少した光を拡散フィルターによって前記イメージテスト部材に拡散させる段階；（ｆ）前記テスト部材で前記光源の照度を測定する段階；（ｇ）測定された照度値が均一になるように、前記多角形回転柱を所定角度ずつ回転させる段階；及び（ｈ）前記テスト部材によって映像撮像素子のデジタルイメージ色相をテストする段階；を含むことを特徴とする。
【００２７】
そして、本発明は、前記のような本発明をコンピューターで実行するためのプログラムが記録されたコンピューターで読める記録媒体を提供する。
【発明の効果】
【００２８】
本発明によるデジタルイメージ色相テスト装置は、人工光源の具現のために、カラー産業分野に広範囲に使用できる。デジタルイメージの評価、検証及び修正が可能であり、塗料の特性把握または特定製品に使用された内部カラー及び外部カラーの検証及び比較分析が、別途の暗室なしに、本発明による装置のみによっても可能である。
【００２９】
また、本発明は、多様な人工光源の具現を目的とするが、このような人工光源を利用したデジタルイメージの評価及び検証のためのアプリケーションシステム（Ｈ/Ｗ及びＳ/Ｗ）との容易なインタペーシングはもちろん、光源を段階別に調節するとき、色温度変化のため、易しく接近することができなかった多様なテスト条件を具現するとともにテストアルゴリズム開発領域までその範囲を確張することができる。
【００３０】
本発明は、ＣＭＯＳイメージセンサーのみならず人工光源として蛍光灯を採用し、蛍光灯のフリッカー（Ｆｌｉｃｋｅｒ）の最適化、自由な光源の段階別調節の機能と色温度変化の最小化の機能を有する。そして、本発明に使用されたＮＤフィルターはタングステンランプ及びハロゲンランプにも適用可能であり、ＰＤＰまたはＬＣＤのようなより多様なデジタルイメージ評価に幅広く適用することができる。
【発明を実施するための最良の形態】
【００３１】
以下、添付図面に基づいて本発明の実施例を詳細に説明する。参照として、以下の説明において、本発明の要旨を不要にあいまいにすることができる公知の機能及び構成についての詳細な説明は省略する。
【００３２】
本発明の実施例で使用されるデジタル機器としてはＣＭＯＳイメージセンサーを使用する。図１は本発明によるデジタルイメージ色相テスト装置の外観を示す斜視図である。図２ａは本発明によるデジタルイメージテスト部材の光源光度均一化装置とこれを用いたデジタルイメージ色相テスト装置の構成を示す図である。図２ｂは図２ａに示す光源２１０をより詳細に示す図で、反射板２１２を備えている。図２ｃは図２ａに示すテスト部材２２０をより詳細に示す図で、照度測定器２２２、２２４、２２５、２２７、２２９を備えている。
【００３３】
まず、本発明によるデジタルイメージテスト部材の光源光度均一化装置は、多角形回転柱２００、複数の光源２１０、照度測定器２２２、２２４、２２５、２２７、２２９、及び回転柱制御部２６０を含んでなり、複数の反射板２１２及び拡散フィルター２３０をさらに含むことが好ましい。
【００３４】
そして、本発明によるデジタルイメージ色相テスト装置は、前述したデジタルイメージテスト部材の光源光度均一化装置とＮＤフィルター２４０、２５０とを含んでなり、調光安定器（ｄｉｍｍｉｎｇ  ｂａｌｌａｓｔ）２１６をさらに含むことが好ましい。
【００３５】
前記多角形回転柱２００は密閉空間に取り付けられ、光源が装着され、所定角度ずつ回転可能であり、多角形の筒形態を有する。前記多角形回転柱は、本発明の実施例では、六角形の筒形態を有する回転柱である。前記多角形回転柱２００は前記密閉空間の左側と右側にそれぞれ取り付けられる。そして、前記密閉空間の壁には、光の乱反射を減らす特殊塗料が塗布されている。
【００３６】
前記複数の光源２１０は、前記デジタルイメージをテストするために、密閉空間の一面に付着されているイメージテスト部材２２０に光を照らし、前記多角形回転柱２００、つまり六角形回転柱の各面に装着される。本発明の実施例において、前記光源は蛍光灯であることが好ましく、前記多角形回転柱２００の各面に二つずつ装着されている。したがって、前記多角形回転柱２００が六角形回転柱の場合は、一つの回転柱に１２個の蛍光灯が装着される。そして、前記光源は、六角形回転柱の面ごとに色温度が違う蛍光灯であることが好ましい。例えば、色温度が３２００Ｋ、４０００Ｋ、５０００Ｋ、５５００Ｋ、６５００Ｋ、７５００Ｋである蛍光灯が一面当たり二つずつ提供して、６面にすべて１２個を装着することができる。多様な光源を具現するために、色温度別に蛍光灯を利用してそれぞれの演色評価数を測定し、人工光源の具現に最適であると判断される蛍光灯を選別して適用する。
【００３７】
多様な人工光源を具現するために蛍光灯を使用し、照度を交流電力で調節するとき、フリッカー（Ｆｌｉｃｋｅｒ）が発生する。蛍光灯は、演色評価数がタングステンランプに比べて著しく落ち、太陽光に近い光源の具現が難しい。このような理由で、ほとんどの人工光源はタングステンランプを使用している。ここで、演色評価数（ｃｏｌｏｒ ｒｅｎｄｅｒｉｎｇ ｉｎｄｅｘ：Ｒａ）とは、人工光源がどのくらい基準光源に近く物体の色を現すかを数値で示すもので、演色評価数が１００に近いほど基準光源に近くて色がすべて自然に見えるという意味である。前記基準光源は、黒体を基準にした３０００Ｋ、昼光を基準にした６０００Ｋの二通りがある。
【００３８】
しかし、本発明では蛍光灯を使用する。前記蛍光灯は、タングステンランプとは異なり、色温度範囲が３０００Ｋ〜７５００Ｋとかなり広く、色温度変化範囲もタングステンランプよりずっと良い。したがって、本発明による装備の調光安定器に、交流電力の代わりに、直流電力を使用して直流信号をＰＷＭ変調し、高周波信号を生成することにより、前記フリッカー（Ｆｌｉｃｋｅｒ）問題を解決する。例えば、調光安定器に直流静電圧回路を備えて、照度調節による直流電圧の変化なしに、いつも一定に維持することができるようにし、調光安定器に高周波発生回路を備えて、約４５ＫＨｚ以上のスイッチング周波数にスイッチングしてフリッカー（Ｆｌｉｃｋｅｒ）を抑制する。
【００３９】
前記照度測定器２２２、２２４、２２５、２２７、２２９は、前記イメージテスト部材２２０に照らされた光の照度を測定し、中央部と４角部に取り付けられる。
【００４０】
前記回転柱制御部２６０は、前記照度測定器によって測定された照度値が均一であるように、前記多角形回転柱を所定角度ずつ回転させる。すなわち、照度測定器によって測定された照度は、その均一性がチェックされ、回転柱制御部２６０に入力され、多角形回転柱２００を一定角度ずつ回転させることにより、照度の均一性を維持する。
【００４１】
前記反射板２１２は前記多角形回転柱２００の各面に取り付けられ、前記各多角形回転柱２００の各面に設けられた光源の光を前記イメージテスト部材２２０に集光させる。
【００４２】
前記拡散フィルター２３０は前記多角形回転柱２００と前記イメージテスト部材２２０との間に配設され、前記複数の光源２１０から放出される光を集光して前記イメージテスト部材２２０に拡散させる。
【００４３】
前記照度測定器２２２、２２４、２２５、２２７、２２９は、前記テスト部材２２０の中央部と角部の照度を測定する。
【００４４】
前記ＮＤフィルター２４０、２５０は前記多角形回転柱２００と前記イメージテスト部材２２０との間に位置し、前記光源の光量を減少させながら色温度を一定範囲に維持させる。前記ＮＤフィルター２４０、２５０は第１ＮＤフィルター２５０と第２ＮＤフィルター２４０とからなる。前記第１ＮＤフィルター２５０は、光源の色温度変化を所定範囲に維持しながら低照度に光量を減らし、第２ＮＤフィルター２４０は光源の色温度変化を所定範囲に維持しながら前記低照度より大きい所定範囲の照度に光量を減らす。
【００４５】
本発明は光源の変化による色温度変化の問題点を解決する。人工的な光源を具現する装備において、多様な環境を構成するためには、光源を任意に調節しなければならないが、光源を調節すれば色温度が変わる。しかし、１Ｌｕｘ〜３０Ｌｕｘ範囲の低輝度領域と３０Ｌｕｘ〜２０００Ｌｕｘ範囲の正常輝度領域で照度を自由に調節しても、ＣＭＯＳイメージセンサーをテストするときは、色温度が許容範囲内になければならない。光源自体の照度を任意に調節するために直流電力を適用することにおいて、単に電力のみで１００Ｌｕｘ以下の光源を具現することは難しい。これを補完し解決するために、光量を強制に減少させることができるＮＤ（Ｎｅｕｔｒａｌ Ｄｅｎｓｉｔｙ）フィルターを使用する。
【００４６】
本発明に使用されるＮＤフィルターは専用フィルターであり、色温度まで調節可能である。光源による色温度変化をより細密に調節するために、フィルターを３領域に分けて人工光源を構成する。前記第２ＮＤフィルター２４０は専用の低ＮＤフィルターであり、１Ｌｕｘ〜１０Ｌｕｘ範囲の光度を有する人工光源のためのフィルターである。前記第１ＮＤフィルター２４０は専用の高ＮＤフィルターであり、１０Ｌｕｘ〜１００Ｌｕｘ範囲の光度のためのフィルターである。そして、前記拡散フィルター２３０は１００Ｌｕｘ〜２０００Ｌｕｘ範囲の光度に使用されるフィルターである。本発明では、低輝度のための任意の光量減少機能とともに、色温度の変化範囲を基準に合わせて調節する。また、蛍光灯と光度の均等性を最適化させるための反射板（Ｒｅｆｌｅｃｔｏｒ）を使用する。光を減少させる程度による４Ｘ、８Ｘ、１６Ｘなど、多様な従来のＮＤフィルターとガラス材の新しいコーティング技法を取り入れ、１Ｌｕｘ〜２０００Ｌｕｘ範囲の光源を自由に調節しながら色温度の変化を最小化することができる専用のＮＤフィルターを使用する。
【００４７】
前記調光安定器２１６は電子式調光安定器（Ｅｌｅｃｔｒｏｎｉｃ ｄｉｍｍｉｎｇ ｂａｌｌａｓｔ）であり、前記光源の光度を制御し、フリッカー（ｆｌｉｃｋｅｒ）を除去し、光源光度の均一性を維持し、図２ｂに示す反射板２１２の背面に位置することが好ましい。
【００４８】
図３はｌｕｘ制御のための調光安定器の構成を示すブロック図である。まず、照度制御のための調光安定器において、蛍光灯がターンオンされる過程を説明する。蛍光灯は、バイメタルなどを利用して逆起電力を誘起して、高電圧になるとき、前記高電圧を利用してターンオンされる。通常、２２０Ｖ６０Ｈｚの交流信号は雑音除去部３００に入力されることにより、回路基板のＥＭＩなどの雑音が除去される。前記交流信号は、整流部３１０により直流信号に整流される。整流された信号は逆率改善部３２０により逆率が改善され、この直流信号がインバータ部３３０に入力され、高周波スイッチングによって高周波信号に変換される。ここで、およそ４５ＫＨｚの高周波信号が作られる。これにより、エネルギーが節減され、光度が高くなる。高周波信号は、直列共振部３４０により、交流信号の損失が減少し、蛍光ランプ３５０に入力されることにより、蛍光灯がターンオンされる。
【００４９】
一方、本発明において、制御信号、好ましくは０Ｖ〜１０Ｖの直流電圧を使用し、パルス幅変造部３９０によってパルス幅変造される。そして、パルス幅変造された信号はインバータ制御部３８０に入力され、インバータ部３３０によって、１０Ｖの制御信号は７５ＫＨｚの高周波に、０Ｖの制御信号は４５ＫＨｚに変換される。また、直列共振部３４０または蛍光ランプで異常（ｅｒｒｏｒ）状態が発生すれば、異常状態感知部３６０を介してインバータ制御部３８０に入力されることにより、高周波信号が発生しないようにする。そして、蛍光ランプの電流は、ランプ電流帰還部３７０によってフィードバックされてインバータ制御部３８０に入力されることにより、ランプ電流が一定になるように制御される。
【００５０】
一方、調光安定器（Ｄｉｍｍｉｎｇ Ｂａｌｌａｓｔ）の照明均一性（ｉｌｌｕｍｉｎａｔｉｏｎ ｕｎｉｆｏｒｍｉｔｙ）制御は、調光安定器に別途の光度測定装置と色温度測定装置を備え、その測定値によって低照度制御回路と高照度制御回路を利用してそれぞれの測定値を一定に維持する方法を使用することができる。
【００５１】
図４は本発明によるデジタルイメージ色相テスト装置の具現例の写真である。人工的な光源を具現するにおいて、特定のテスト領域に光が集光できなければ、ＣＭＯＳイメージセンサーで見られる全映像の特定部分は暗くなるか誤った映像を獲得することになり、照度調節の際、テスト領域の色温度の変化範囲も増加することになる。人工光源の具現において、特定のテスト領域までの照明均一性（ｉｌｌｕｍｉｎａｔｉｏｎ ｕｎｉｆｏｒｍｉｔｙ）特性は、ＣＭＯＳイメージセンサーのテストの際に、非常に重要である。このような問題点を解決するために、密閉空間を構成し、内部的に光の乱反射を最小化するための特殊塗料を適用し、光源を左右に配置して光を４５度の角度にテスト領域に照らし、蛍光灯を反射板（ｒｅｆｌｅｃｔｏｒ）に装着して照明均一性（ｉｌｌｕｍｉｎａｔｉｏｎ ｕｎｉｆｏｒｍｉｔｙ）を最適化する。
【００５２】
以下、本発明によるデジタルイメージテスト部材の光源光度均一化方法とこれを用いたデジタルイメージ色相テスト方法を説明する。図６は前記デジタルイメージ色相テスト方法を示すフローチャートである。本発明によるデジタルイメージテスト部材の光源光度均一化方法は、前記デジタルイメージ色相テスト方法にそのまま利用されるので、別途の説明は省略し、本発明によるデジタルイメージ色相テスト方法を説明する。
【００５３】
図５を参照すれば、まず、デジタルイメージをテストするために密閉空間が必要であり、前記密閉空間の一面にイメージテスト部材２２０を取り付ける（５００段階）。イメージテスト部材２２０は、カラーチェッカー（ｃｏｌｏｒ ｃｈｅｃｋｅｒ）、シェーディングチャート（ｓｈａｄｉｎｇ ｃｈａｒｔ）などを利用する。また、調光安定器２１６を利用して、前記イメージテスト部材２２０に照射される光源の光度を均一にする（５１０段階）。このために、照度測定器を前記イメージテスト部材の背面の中央部及び角部に配設して照度の均一性を維持する。前記均一性維持のための処理は、コンピューターインターフェースを介してソフトウェア的に処理することができる。ついで、前記密閉空間に多角形の回転柱２００を設置し、前記多角形回転柱２００の各面に光源を取り付ける（５２０段階）。多角形回転柱２００は、本発明の実施例においては、六角形の回転柱を利用する。前記取り付けられた光源から放出される光を反射板で集光させる（５３０段階）。反射板は、光源、つまり毎蛍光灯に一つずつ取り付けられ、蛍光灯の光を集める役目をする。前記集光された光に対し、ＮＤフィルター２４０、２５０によって光量を減らす（５４０段階）。特に、前記ＮＤフィルターは、低照度、例えば１〜１２Ｌｕｘの光源を具現するときに有用に使用される。前記ＮＤフィルター２４０、２５０によって光量が減少した光を、拡散フィルター２３０を介して前記イメージテスト部材２２０に拡散させる（５５０段階）。すると、前記テスト部材２２０の照度測定器を利用して、前記光源の照度を測定する（５６０段階）。照度が均一でなければ、前記多角形回転柱２００を所定角度ずつ回転させて照度を均一にする（５７０段階）。照度が均一に維持されれば、イメージテスト部材２２０によって、映像撮像素子のデジタルイメージ色相をテストする（５８０段階）。
【００５４】
前述したような本発明によるデジタルイメージ色相テスト装置及び方法は、多重評価システムでない単一評価システムによって分離可能である。したがって、ＣＭＯＳイメージセンサーの量産ラインアップ（ｌｉｎｅ−ｕｐ）において、特定の所要光源を容易に具現することができ、装備の構成と機能はプログラム可能である。
【００５５】
一方、前記のような本発明は、コンピューターで読める記録媒体にコンピューターが読めるコードで具現することが可能である。コンピューターで読める記録媒体は、コンピューターシステムによって読めるデータが格納されるいずれの種類の記録装置も含む。コンピューターで読める記録媒体の例としては、ＲＯＭ、ＲＡＭ、ＣＤ−ＲＯＭ、磁気テープ、フロッピー（登録商標）、ハードディスク、光データ記憶装置などがあり、さらに搬送波（例えば、インターネットを介した伝送）の形で具現されるものも含む。また、コンピューターで読める記録媒体は、ネットワークを介して連結されたコンピューターシステムに分散され、分散方式でコンピューターが読めるコードが記憶され実行できる。そして、本発明を具現するための機能的なプログラム、コード及びコードセグメントは、本発明が属する技術分野のプログラマーによって容易に推論することができる。
【００５６】
これまで、本発明をその好ましい実施例に基づいて詳細に説明したが、本発明が属する技術分野の当業者であれば、本発明をその技術的思想または必須特徴を変更せずに他の具体的な形態に実施することができるので、以上で説明した実施例はすべての面で例示的なもので、限定的なものではないことを理解しなければならない。
【００５７】
そして、本発明の範囲は、前記詳細な説明よりは、特許請求範囲によって特定されるものであり、特許請求範囲の意味及び範囲とその等価の概念から導出されるすべての変更または変形の形態が本発明の範囲に属するものと解釈されなければならない。
【産業上の利用可能性】
【００５８】
本発明は、色温度を一定に維持しながら人工光源の光度を一定にするデジタルイメージテスト部材の光源光度均一化装置及び方法と、多様な色温度で色温度を一定に維持するとともに低照度の環境から高照度の環境まで使用可能な多様な人工光源を構成する、前記デジタルイメージテスト部材の光源光度均一化装置及び方法を利用したデジタルイメージ色相テスト装置及び方法に適用可能である。
【図面の簡単な説明】
【００５９】
【図１】本発明によるデジタルイメージ色相テスト装置の外観を示す斜視図である。
【図２ａ】本発明によるデジタルイメージテスト部材の光源光度均一化装置とこれを用いたデジタルイメージ色相テスト装置の構成を示す概略図である。
【図２ｂ】図２ａに示す光源をより詳細に示す図である。
【図２ｃ】図２ａに示すテスト部材をより詳細に示す図である。
【図３】ｌｕｘ制御のための調光安定器の構成を示すブロック図である。
【図４】本発明によるデジタルイメージ色相テスト装置の具現例を示す写真である。
【図５】本発明によるデジタルイメージテスト部材の光源光度均一化方法を利用したデジタルイメージ色相テスト方法を示すフローチャートである。
【符号の説明】
【００６０】
２００    回転柱
２１０    光源
２１２    反射板
２２０    テスト部材
２２２、２２４、２２５、２２７、２２９    照度測定器
２３０    拡散フィルター
２４０、２５０    ＮＤフィルター
２６０    回転柱制御部
３２０    逆率改善部
３３０    インバータ部
３４０    直列共振部
３５０    蛍光ランプ
３６０    異常状態感知部
３７０    ランプ電流帰還部
３８０    インバータ制御部
３９０    パルス幅変調部
【図１】
2008145413.tif 000003
【図２ａ】
2008145413.tif 000004
【図２ｂ】
2008145413.tif 000005
【図２ｃ】
2008145413.tif 000006
【図３】
2008145413.tif 000007
【図５】
2008145413.tif 000008
【図４】
2008145413.tif 000009